(57)【要約】      （修正有）【課題】冷却ファンに依存することなく、ディスク媒体が回転することによって発生する空気流を利用して、空気流が効率よく装置の内部および外部を通過するためのディスクドライブを有する電子機器の放熱構造を提供する。【解決手段】蓋部２は、第１の蓋３と第１の蓋のディスク媒体に対向する面の、少なくとも一部を覆うように取り付けられた第２の蓋４とから構成され、第１の蓋には、筐体外部の空気を吸入する少なくとも１つ以上の流入孔６等を形成し、第２の蓋には、ディスク媒体の回転中心近傍に設けられ、第１と第２の蓋の間を流れる空気を吸入する貫通孔７を形成し、第１の蓋のディスク媒体に対向する面には、筐体内部に吸入された空気を案内するリブ８を設けた。【選択図】図５
2012113795.tif 000002
【特許請求の範囲】
【請求項１】
ディスク媒体を回転させて、前記ディスク媒体の再生または記録再生を行う電子部品を備えたディスクドライブと前記ディスクドライブを収納する筐体と、
前記筐体に開閉可能に取り付けられ、前記筐体への前記ディスク媒体の脱着を可能とする蓋部とを備えた電子機器において、
前記蓋部は、第１の蓋と前記第１の蓋の前記ディスク媒体に対向する面の、少なくとも一部を覆うように取り付けられた第２の蓋とから構成され、
前記第１の蓋には、前記筐体外部の空気を吸入する少なくとも１つ以上の流入孔を形成し、
前記第２の蓋には、前記ディスク媒体の回転中心近傍に設けられ、前記第１と第２の蓋の間を流れる空気を吸入する貫通孔を形成し、
前記第１の蓋の前記ディスク媒体に対向する面には、筐体内部に吸入された空気を前記電子部品に案内するリブを設けたことを特徴とする電子機器。
【請求項２】
前記リブは前記ディスク媒体の外周に沿う円弧形状とし、前記リブの円弧形状の円弧範囲を前記流入孔近傍から前記電子部品近傍までとし、前記リブの先端部には前記ディスク媒体の平面部に対して所定の角度を有する傾斜面を形成することにより、前記第２の蓋と前記ディスク媒体の間を流れる空気を、前記電子部品へ案内させる、請求項１に記載の電子機器。
【請求項３】
前記流入孔は、前記リブよりも前記ディスク媒体の中心側に設けられ、前記第１の蓋部の中心に関して前記電子部品と反対の位置に配置されていることを特徴とする、請求項１に記載の電子機器。
【請求項４】
前記電子部品は光ピックアップであることを特徴とする、請求項１乃至請求項3のいずれか１項に記載の電子機器。
【発明の詳細な説明】
【技術分野】
【０００１】
本発明は、ディスクドライブを有する電子機器の放熱構造に関するものである。
【背景技術】
【０００２】
従来、ディスクドライブを有する電子機器では、電子部品の発熱に対して、筐体の一部に取り付けた冷却ファンにより、空気を電子機器の外部から内部に強制的に導入し、冷却を行っていた。
【０００３】
しかし、上述した構造の場合、冷却ファンによる騒音や消費電力が大きくなり、また装置の大型化という問題も生じていた。
【０００４】
その解決例として、ディスク媒体自体を冷却ファンとみなしたディスク媒体駆動部を有する電子部品の冷却構造が開示されている。（例えば、特許文献１参照）。
【０００５】
図7に示すように、ディスク媒体駆動部を有する電子装置本体１０１は、ディスク媒体１０８（図8に図示）を回転させ、回転中にディスク媒体１０８の記録内容を読み取るディスク媒体駆動部１０５を内蔵する。ディスク媒体１０８を収納可能な装置本体の内部には、ディスク媒体１０８の回転中心方向に向かって装置外部からの空気を案内する案内部１０６を形成させる。ディスク媒体１０８が回転する際にディスク媒体上カバー１０２とディスク媒体駆動部１０５との間で発生する負圧を利用して案内部１０６に冷却用空気を導入し、冷却用空気の導風路途上に配置された電子部品（ピックアップ）１０７を冷却することを特徴としている。
【０００６】
図8の装置の断面概念図に示すように、装置本体１０１に空気導入孔１０４を設け、ディスク媒体上カバー１０２に空気導出孔１０３を設けることにより、ディスク媒体１０８の回転と同時に空気の流出入が生じ、矢印に示す空気流の経路が形成され、空気流の経路上に存在する電子部品（ピックアップ）１０７を冷却する構造となっている。
【先行技術文献】
【特許文献】
【０００７】
【特許文献１】特開２０００−１７３２５９号公報
【発明の概要】
【発明が解決しようとする課題】
【０００８】
しかしながら、上記従来例においては、図7に示すように、ディスク媒体上カバー１０２に設けた空気導出孔１０３はディスク媒体１０８直近の側壁面に配置されているため、放熱性としての効果は高いが、装置本体１０１内部にゴミや塵が入りやすく、またディスク情報の読み取りと書き込みの際に発せられるレーザー光が空気導出孔１０３から漏れてしまうという問題が生じる可能性があった。また、空気を案内する専用の案内部１０６を設ける必要があるため装置の小型化を実現することは困難だった。
【０００９】
本発明は、上述した問題点を解消し、ディスクドライブを有する電子機器における放熱構造を提供することを目的としたものである。
【課題を解決するための手段】
【００１０】
上記した目的を達成するために、本発明の電子機器は請求項１に記載のディスク媒体を回転させて、前記ディスク媒体の再生または記録再生を行う電子部品を備えたディスクドライブと前記ディスクドライブを収納する筐体と、
前記筐体に開閉可能に取り付けられ、前記筐体への前記ディスク媒体の脱着を可能とする蓋部とを備えた電子機器において、
前記蓋部は、第１の蓋と前記第１の蓋の前記ディスク媒体に対向する面の、少なくとも一部を覆うように取り付けられた第２の蓋とから構成され、
前記第１の蓋には、前記筐体外部の空気を吸入する少なくとも１つ以上の流入孔を形成し、
前記第２の蓋には、前記ディスク媒体の回転中心近傍に設けられ、前記第１と第２の蓋の間を流れる空気を吸入する貫通孔を形成し、
前記第１の蓋の前記ディスク媒体に対向する面には、筐体内部に吸入された空気を案内するリブを設けたことを特徴としている。
また、本発明の請求項２に記載の電子機器は、請求項１に記載の電子機器において、前記リブは前記ディスク媒体の略外周に沿う円弧形状とし、前記リブの円弧形状の円弧範囲を前記流入孔近傍から前記電子部品近傍までとし、前記リブの先端部には前記ディスク媒体の平面部に対して所定の角度を有する傾斜面を形成することにより、前記第２の蓋と前記ディスク媒体の間を流れる空気を、前記電子部品へ案内させることを特徴としている。
また、本発明の請求項３に記載の電子機器は、請求項１に記載の電子機器において、前記流入孔は、前記リブよりも前記ディスク媒体の中心側に設けられ、前記第１の蓋部の略中心に関して前記電子部品と反対の位置に配置されていることを特徴としている。
また、本発明の請求項４に記載の電子機器は、請求項１から３に記載の電子機器において、前記電子部品は光ピックアップであることを特徴としている。
【発明の効果】
【００１１】
本発明の請求項１に係る発明によれば、筐体外部の空気を吸気する流入孔を設けることにより、ディスク媒体の回転により発生する遠心力の作用により負圧を得て、電子機器装置外部から流入孔を介して内部へ空気流が生じることにより新鮮な空気が有効に筐体内部に吸気することが出来る。また、蓋のディスク媒体に対向する面にリブを設けることにより吸気された空気は電子部品に案内され、熱を有効に放熱することが可能となる。
また、ディスク蓋部を第一と第二に二体化することで、防塵の役割とレーザー光漏れを防止することができる。
【００１２】
本発明の請求項２に係る発明によれば、前記リブの形状をディスク媒体の略外周に沿う円弧形状とし、前記リブの円弧形状の円弧範囲を前記流入孔近傍から前記電子部品近傍までとし、前記リブの先端部には前記ディスク媒体の平面部に対して所定の角度を有する傾斜面を形成することにより、効率よく空気を前記電子部品へ案内させることができる。
【００１３】
本発明の請求項３に係る発明によれば、前記流入孔は、前記リブよりも前記ディスク媒体の中心側に設けられ、前記第１の蓋部の略中心に関して前記電子部品と反対の位置に配置されていることにより、ディスク媒体が回転することによる遠心力を効果的に利用し、空気の流速を上げ前記電子部品の放熱効果を促進させることができる。
【図面の簡単な説明】
【００１４】
【図１】ディスクの回転で生じる空気流の概念断面図（ａ）と概念平面図（ｂ）である。
【図２】本発明の実施例におけるディスクドライブを備えた電子機器の外観構成を示す斜視図である。
【図３】本発明の実施例におけるディスクドライブを備えた電子機器の外観構成を示す斜視図である。
【図４】（ａ）は本発明の実施例におけるディスクドライブを備えた電子機器の第１の蓋の構造を示す断面図、（ｂ）は（ａ）のＡ−Ａ‘断面図である。
【図５】（ａ）は本発明の実施例におけるディスクドライブを備えた電子機器の第２の蓋の構造を示す断面図、（ｂ）は（ａ）のＡ−Ａ‘断面図である。
【図６】（ａ）は本発明の実施例におけるディスクドライブを備えた電子機器の空気流の概念断面図、（ｂ）は（ａ）のＡ−Ａ‘断面図である。
【図７】従来の発明に係る装置の外観構成を示す斜視図である。
【図８】従来の発明に係る装置の断面概念図である。
【発明を実施するための形態】
【００１５】
以下に本発明の実施形態を図１〜図６に基づいて説明する。本発明の実施形態は、ディスクドライブを有する電子機器の具体的な例として、ディスクドライブを備えた撮像装置に適用したもので説明する。
【００１６】
［実施例］
まず、図１（ａ）（ｂ）に基づいてディスク媒体の回転により発生する空気流の原理を簡単に説明する。図１（ａ）に示すように、ディスク媒体が回転すると、遠心力の作用によりディスク媒体の中心付近は負圧となり、下向きの流れが生じ、外周側にいくにつれて外向きの流れが生じる。図１（ｂ）に示すように、ディスク媒体を上面から見ると、ディスク媒体中心近傍から外周方向へ矢印のような空気の流れになる。
【００１７】
図２は、本発明の実施例におけるディスクドライブを備えた電子機器の外観構成を示す斜視図である。電子機器はディスク媒体１４を回転させて記録再生するディスクドライブを有する筐体１と、前記筐体から前記ディスク媒体１４を脱着するために前記筐体１に開閉可能に取り付けられた蓋部２で構成されている。
【００１８】
図３は実施例におけるディスクドライブを備えた電子機器の蓋部２を閉じた外観構成を示す斜視図である。
【００１９】
図４ａ、５ａは実施例における電子機器に取り付けた蓋の構成について示す。
【００２０】
図４ｂ、５ｂは実施例における電子機器に取り付けた蓋のＡ−Ａ‘断面図を示す。
【００２１】
蓋部２は第１の蓋３と前記第１の蓋３の前記ディスク媒体側の表面の少なくとも一部を覆うように取り付けられた第２の蓋４とからなり、図４に示す前記第１の蓋３は、筐体外部の空気を筐体１に吸入するための第１と第２の流入孔５、６を形成している。前記第１と第２の流入孔５、６はディスク媒体が回転することによる遠心力の作用により負圧の値が大きくなる前記第１の蓋３の中心側に配置されているため、筐体外部の空気の吸気効果が促進される。さらに、前記第１と第２の流入孔５、６は、ディスクドライブに設けられた前記電子部品（ピックアップ）１６に隣接することなく、遠心力を効果的に利用できるようディスク媒体１４の略中心に点対称に配置し、空気の流速を上げ前記電子部品（ピックアップ）１６の放熱効果が促進される構成としている。
【００２２】
図５に示す前記第２の蓋４は、前記ディスク１４の回転中心に面して設けられた第1の貫通孔７で構成している。前記第1の貫通孔７は前記ディスク１４の回転中心に面して設け、前記筐体外部より流入する空気の流入抵抗を低減するため円形状とし、その直径はディスク１４の遠心力を効果的に利用するため前記ディスク１４の中心近傍に配置した。前記第１と第２の流入孔５、６により前記筐体外部から吸入された空気は、前記第２の蓋４に設けられた第1の貫通孔７を通過し、遠心力によりディスク外周方向の流れを生じる。
【００２３】
前記第１の蓋３は、遠心力によりディスク外周方向へ流れる空気を前記電子部品（ピックアップ）１６に導くための前記ディスク１４の略外周に沿った円弧形状のリブ８を有している。図５に円弧形状のリブ８を示し、図６ａに本発明の実施例における空気流の概念断面図を、図６ｂにＡ−Ａ‘断面における空気流の概念断面図を示す。前記円弧形状のリブ８は円弧角度を前記流入孔から前記電子部品（ピックアップ）１６までの角度θ1で形成し、遠心力によりディスク外周方向へ散らばる空気の流れを効果的に利用する構成としている。また、前記円弧形状のリブ８は、前記ディスク１４に対し角度θ2の傾斜面を形成することにより、前記第２の蓋４と前記ディスク媒体１４の間を流れる空気を、前記電子部品（ピックアップ）１６へと滑らかに流入を促す構成としている。
【００２４】
この様に本発明においては、前記筐体１に前記ディスク１４を格納し、前記蓋部２を閉じて前記ディスク１４を回転させた時に、前記ディスク１４の回転によりディスク中心近傍は負圧となり、筐体外部から前記第１の蓋３の中心近傍に配置された前記第１と第２の流入孔５、６を通して新鮮な空気が有効に筐体内部に吸気される。そして、吸気された空気は前記第２の蓋４に設けられた第1の貫通孔７を通り、遠心力によりディスク外周方向の流れを生じる。この時、外周方向への空気の流れは前記円弧形状のリブ８を経由して、前記ディスク１４を中心に前記第２の蓋４に対して対向の位置にある前記電子部品（ピックアップ）１６へと導入される。
【００２５】
放熱の効果は、本発明を実施していない場合では、電子部品（ピックアップ）１６付近の温度は外気温２５℃に対して１８℃の温度上昇が見られたが、本発明を実施するとその温度上昇は１５℃に抑制できた。すなわち、３℃の放熱効果が得られた。
【００２６】
以上、本発明の実施形態について説明したが、本発明は上記の実施形態に何ら限定されるものではなく、本発明の要旨を逸脱しない範囲内で適用可能である。
【００２７】
本発明の請求項１に係る発明によれば、
筐体外部の空気を吸気する流入孔を設けることにより、ディスク媒体の回転により発生する遠心力の作用により負圧を得て、電子機器装置外部から流入孔を介して内部へ空気流が生じることにより新鮮な空気が有効に筐体内部に吸気することが出来る。
【００２８】
また、蓋のディスク媒体に対向する面にリブを設けることにより吸気された空気は電子部品に案内され、熱を有効に放熱することが可能となる。
【００２９】
また、ディスク蓋部を第一と第二に二体化することで、防塵の役割とレーザー光漏れを防止することができる。
【００３０】
本発明の請求項２に係る発明によれば、前記リブの形状をディスク媒体の略外周に沿う円弧形状とし、前記リブの円弧形状の円弧範囲を前記流入孔近傍から前記電子部品近傍までとし、前記リブの先端部には前記ディスク媒体の平面部に対して所定の角度を有する傾斜面を形成することにより、効率よく空気を前記電子部品へ案内させることができる。
【００３１】
本発明の請求項３に係る発明によれば、前記流入孔は、前記リブよりも前記ディスク媒体の中心側に設けられ、前記第１の蓋部の略中心に関して前記電子部品と反対の位置に配置されていることにより、ディスク媒体が回転することによる遠心力を効果的に利用し、空気の流速を上げ前記電子部品の放熱効果を促進させることができる。
【符号の説明】
【００３２】
１    筐体
２    蓋部
３    第１の蓋
４    第２の蓋
５    第１の流入孔
６    第２の流入孔
７    第1の貫通孔
８    円弧形状のリブ
１４    ディスク
１５    スピンドル
１６    電子部品（ピックアップ）
１０１  装置本体
１０２  ディスク上カバー
１０３  空気導出孔
１０４  空気導入孔
１０５  ディスク駆動装置
１０６  案内部
１０７  電子部品（ピックアップ）
【図１】
2012113795.tif 000003
【図２】
2012113795.tif 000004
【図３】
2012113795.tif 000005
【図４】
2012113795.tif 000006
【図５】
2012113795.tif 000007
【図６】
2012113795.tif 000008
【図７】
2012113795.tif 000009
【図８】
2012113795.tif 000010